(57)【特許請求の範囲】
【請求項１】
有機性廃棄物をメタン発酵槽内でメタン発酵させることにより得られる消化ガスを一時的にガスホルダに貯留し、該消化ガスを蒸気ボイラで燃焼させて蒸気に変換し、蒸気アキュームレータに貯留した後、該蒸気を蒸気消費設備に供給する有機性廃棄物エネルギーの利用方法であって、
前記メタン発酵槽内への有機性廃棄物の供給及び前記消化ガスの前記蒸気ボイラへの供給は、一日中連続的に行われるようになっており、
前記蒸気消費設備の稼動時間帯は、昼間半日以内となっており、
前記蒸気アキュームレータの容量は、前記蒸気消費設備の稼動時間帯以外に前記メタン発酵槽で発生した消化ガスを前記蒸気ボイラで燃焼させて発生した蒸気の全量を貯留可能な容量となっており、
前記蒸気ボイラからの蒸気を前記蒸気アキュームレータに１．５ＭＰａ以上の蒸気圧で貯留し、
前記蒸気消費設備の稼動時間帯に前記蒸気アキュームレータに貯留している蒸気を前記蒸気消費設備に供給することを特徴とする有機性廃棄物エネルギーの利用方法。
【請求項２】
有機性廃棄物をメタン発酵させるメタン発酵槽と、前記メタン発酵槽内に前記有機性廃棄物を供給する有機性廃棄物供給手段と、前記メタン発酵槽で発生した消化ガスを一時的に貯留するガスホルダと、該消化ガスを燃焼させて蒸気を得る蒸気ボイラと、前記蒸気ボイラからの蒸気を貯留する蒸気アキュームレータと、前記蒸気アキュームレータに貯留した前記蒸気を蒸気消費設備に供給する蒸気供給手段とを備えた有機性廃棄物エネルギーの利用装置であって、
前記メタン発酵槽内への有機性廃棄物の供給及び前記消化ガスの前記蒸気ボイラへの供給は、一日中連続的に行われるようになっており、
前記蒸気消費設備の稼動時間帯は、昼間半日以内となっており、
前記蒸気アキュームレータの容量は、前記蒸気消費設備の稼動時間帯以外に前記メタン発酵槽で発生した消化ガスを前記蒸気ボイラで燃焼させて発生した蒸気の全量を貯留可能な容量となっており、
前記蒸気ボイラは、発生する蒸気を前記蒸気アキュームレータに１．５ＭＰａ以上の蒸気圧で貯留するようになっており、
前記蒸気供給手段は、前記蒸気消費設備の稼動時間帯に前記蒸気アキュームレータから前記蒸気消費設備に蒸気を供給するようになっていることを特徴とする有機性廃棄物エネルギーの利用装置。
【請求項３】
請求項２に記載の有機性廃棄物エネルギーの利用装置において、
前記蒸気消費設備は、前記蒸気アキュームレータが配置された建屋内又は前記蒸気アキュームレータの近傍に設置されていることを特徴とする有機性廃棄物エネルギーの利用装置。
【請求項４】
請求項２又は３に記載の有機性廃棄物エネルギーの利用装置を備え、
前記メタン発酵槽内でメタン発酵した有機性廃棄物の残渣を処理するメタン発酵残渣処理装置を備えたことを特徴とする有機性廃棄物処理装置。
【請求項５】
請求項４に記載の有機性廃棄物処理装置において、
当該有機性廃棄物処理装置内の廃水を処理する廃水処理装置を備えたことを特徴とする有機性廃棄物処理装置。
【請求項６】
請求項４又は５に記載の有機性廃棄物処理装置において、
当該有機性廃棄物処理装置の各部から排出される臭気を含む排気を脱臭する脱臭装置を備えたことを特徴とする有機性廃棄物処理装置。
【発明の詳細な説明】
【技術分野】
【０００１】
本発明は、食品廃棄物、汚泥、し尿、家畜糞尿、高濃度有機性廃水などの有機性廃棄物の有するエネルギーを有効に利用する有機性廃棄物エネルギーの利用方法、利用装置、及び有機性廃棄物処理装置に関するものである。
【背景技術】
【０００２】
上記有機性廃棄物をメタン発酵処理する方法は、処理設備の運転コストが低いこと、発酵残渣が生物化学的に安定していること、発生した消化ガスをエネルギーとして利用することができること等、多くのメリットがある。
【０００３】
上記メタン発酵で発生した消化ガスの利用方法としては、ガス発電を行うか、温水或いは蒸気に変換して熱源として利用する方法が一般的である。ガス発電はエネルギーを電気として利用できるため、用途が広く、余ったエネルギーも売電することができるので、使用する側から見て非常に使用しやすい。その反面、エネルギー変換効率が悪く、燃料電池など高効率の発電装置を用いても、電気として利用できるのは投入エネルギーの３割程度である。
【０００４】
これに対して、上記メタン発酵槽で発生した消化ガスのエネルギーを温水或いは蒸気の熱エネルギーに変換する場合には、ガスボイラによって８０％以上の効率でエネルギー変換することができる。したがって、変換した温水或いは蒸気を使用する用途があれば、消化ガスのエネルギーを熱として使用する方が、エネルギー変換効率の点からメリットが大きい。
【０００５】
上記温水或いは蒸気の熱の利用先としては、工場の製造ライン、暖房、温水プール等が考えられる。しかしながら、多くの場合、熱エネルギーを使用する時間帯と、使用しない時間帯がある。一方で、メタン発酵は生物反応であるため、メタン発酵槽内でメタン発酵細菌を安定的に作用させるために、有機性廃棄物のメタン発酵槽内への供給は連続的に行う必要があり、その場合消化ガスも連続的に発生するため、エネルギーの需要と供給の間に時間差が生じることになる。
【０００６】
通常、エネルギーを使用しない時にはメタン発酵槽から発生する消化ガスを一時的にガスホルダに貯留するのが一般的である。例えばエネルギーを日中しか使用しない場合は、メタン発酵槽から発生する消化ガスの半日分（夜間に発生する消化ガス量分）をガスホルダに貯留する必要が生じる。しかしこの方法は、後に詳述するように巨大なガスホルダが必要になり、設備が大型となり、且つ大きな設置スペースを必要とする。
【０００７】
この解決策として、発生した消化ガスを高圧で貯留する方法がある。これは主に欧州などで行われている方法であるが、取り扱いに注意が必要である。日本国内で行う場合は高圧ガス取扱事業者の認定が必要になる。また、最近では吸着材を用いメタンを濃縮・貯留する方法も提案されているが、装置が複雑になるため、高いイニシャルコストがかかるなどのデメリットがある。
【特許文献１】特開２００２−２０４９５３号公報
【発明の開示】
【発明が解決しようとする課題】
【０００８】
本発明は上述の点に鑑みてなされたもので、有機性廃棄物をメタン発酵槽内でメタン発酵させることによって得られた消化ガスをボイラにて高圧蒸気に変換し、該高圧蒸気を蒸気アキュームレータに貯留し、該貯留した蒸気を蒸気消費設備に供給することで、設備が簡単で小型化が可能で、設置スペースが小さく、低いイニシャルコストで済み、且つ有機性廃棄物が有するエネルギーを有効に利用できる有機性廃棄物エネルギーの利用方法、利用装置、及び有機性廃棄物処理装置を提供することを目的とする。
【課題を解決するための手段】
【０００９】
上記課題を解決するため請求項１に記載の発明は、有機性廃棄物をメタン発酵槽内でメタン発酵させることにより得られる消化ガスを一時的にガスホルダに貯留し、該消化ガスを蒸気ボイラで燃焼させて蒸気に変換し、蒸気アキュームレータに貯留した後、該蒸気を蒸気消費設備に供給する有機性廃棄物エネルギーの利用方法であって、メタン発酵槽内への有機性廃棄物の供給及び消化ガスの蒸気ボイラへの供給は、一日中連続的に行われるようになっており、蒸気消費設備の稼動時間帯は、昼間半日以内となっており、蒸気アキュームレータの容量は、蒸気消費設備の稼動時間帯以外にメタン発酵槽で発生した消化ガスを蒸気ボイラで燃焼させて発生した蒸気の全量を貯留可能な容量となっており、蒸気ボイラからの蒸気を蒸気アキュームレータに１．５ＭＰａ以上の蒸気圧で貯留し、蒸気消費設備の稼動時間帯に蒸気アキュームレータに貯留している蒸気を蒸気消費設備に供給することを特徴とする。
【００１１】
請求項２に記載の発明は、有機性廃棄物をメタン発酵させるメタン発酵槽と、メタン発酵槽内に有機性廃棄物を供給する有機性廃棄物供給手段と、メタン発酵槽で発生した消化ガスを一時的に貯留するガスホルダと、該消化ガスを燃焼させて蒸気を得る蒸気ボイラと、前記蒸気ボイラからの蒸気を貯留する蒸気アキュームレータと、蒸気アキュームレータに貯留した蒸気を蒸気消費設備に供給する蒸気供給手段とを備えた有機性廃棄物エネルギーの利用装置であって、メタン発酵槽内への有機性廃棄物の供給及び消化ガスの前記蒸気ボイラへの供給は、一日中連続的に行われるようになっており、蒸気消費設備の稼動時間帯は、昼間半日以内となっており、蒸気アキュームレータの容量は、蒸気消費設備の稼動時間帯以外にメタン発酵槽で発生した消化ガスを蒸気ボイラで燃焼させて発生した蒸気の全量を貯留可能な容量となっており、蒸気ボイラは、発生する蒸気を蒸気アキュームレータに１．５ＭＰａ以上の蒸気圧で貯留するようになっており、蒸気供給手段は、蒸気消費設備の稼動時間帯に蒸気アキュームレータから蒸気消費設備に蒸気を供給するようになっていることを特徴とする。
【００１２】
請求項３に記載の発明は、請求項２に記載の有機性廃棄物エネルギーの利用装置において、前記蒸気消費設備は、前記蒸気アキュームレータが配置された建屋内又は前記蒸気アキュームレータの近傍に設置されていることを特徴とする。
【００１５】
請求項４に記載の発明は、請求項２又は３に記載の有機性廃棄物エネルギーの利用装置を備え、前記メタン発酵槽内でメタン発酵した有機性廃棄物の残渣を処理するメタン発酵残渣処理装置を備えたことを特徴とする有機性廃棄物処理装置にある。
【００１６】
請求項５に記載の発明は、請求項４に記載の有機性廃棄物処理装置において、当該有機性廃棄物処理装置内の廃水を処理する廃水処理装置を備えたことを特徴とする。
【００１７】
請求項６に記載の発明は、請求項４又は５に記載の有機性廃棄物処理装置において、当該有機性廃棄物処理装置の各部から排出される臭気を含む排気を脱臭する脱臭装置を備えたことを特徴とする。
【発明の効果】
【００１８】
請求項１乃至３に記載の発明によれば、メタン発酵槽内に有機性廃棄物を一日中連続的に供給し、メタン発酵細菌を安定的に作用させ、その結果一日中連続的に効率よく発生する消化ガスの全量を高効率で熱エネルギーである蒸気に変換し、該蒸気を蒸気アキュームレータに１．５ＭＰａで貯留し、蒸気消費設備の稼働時間帯に該蒸気消費設備に供給するので、有機性廃棄物の有するエネルギーを高効率で熱エネルギーに変換し、該変換した熱エネルギーを蒸気消費設備に熱エネルギーのままで供給して、有機性廃棄物エネルギーを最大限利用すると共に、消化ガスを低圧ガスの状態で貯留するガスアキュームレータに比べて、大幅な小型化が可能となる。
【００１９】
請求項４に記載の発明によれば、有機性廃棄物のエネルギーを高効率で蒸気の熱エネルギーに変換できると共に、有機性廃棄物をメタン発酵させるので、発酵残渣が生物化学的に安定しているから、メタン発酵残渣処理装置から得られた処理残渣は生物化学的に安定したものとなり、例えば肥料や土地改良剤として有効利用できる。
【００２０】
請求項５に記載の発明によれば、廃水処理装置を備えるので、処理水を装置内で使用することができ、余剰分は放水しても周囲環境に悪影響を与えることがない。
【００２１】
請求項６に記載の発明によれば、脱臭装置を備えているので、有機性廃棄物処理装置を設置しても悪臭等により周囲環境に悪影響を与えることがない。
【発明を実施するための最良の形態】
【００２２】
以下、本願発明の実施の形態例を図面に基いて説明する。ここでは有機性廃棄物を発生する食品加工工場、該食品加工工場内（同一建屋内又は隣接する建屋内）又は近傍（近隣）に蒸留や器具滅菌用等の蒸気を使用する蒸気消費（使用）設備がある場合を例に説明する。図１は本発明に係る有機性廃棄物エネルギーの利用装置の概略構成例を示す図である。図１において、１０はメタンガス発酵槽、１１はガスホルダ、１２はボイラ、１３は蒸気アキュームレータ、１４はフレアスタック、１５は脱硫塔、１６は蒸気消費設備である。
【００２３】
食品加工工場で発生した有機性廃棄物はメタンガス発酵槽１０内に投入され、メタン発酵細菌によりメタン発酵させる。メタン発酵によって発生した消化ガス１は脱硫塔１５に送られ、脱硫され、ガスホルダ１１に一時的に貯留される。該ガスホルダ１１に貯留された消化ガス１はボイラ１２に連続的に供給され、燃焼する。これにより消化ガス１のエネルギーは１．５ＭＰａ以上、好ましくは２．０ＭＰａ以上の高圧の蒸気２の熱エネルギーに変換され、該高圧の蒸気２は蒸気アキュームレータ１３に貯留される。
【００２４】
上記のようにメタン発酵槽１０内でのメタン発酵は生物反応であり、メタン発酵細菌を安定的に作用させるため、メタン発酵槽１０内への有機性廃棄物の供給は連続的に行われる必要がある。その結果、メタン発酵槽１０内で消化ガス１は連続的に発生する。この連続的に発生する消化ガス１を上記のように脱硫塔１５に送り脱硫して、ボイラ１２に送り燃焼させ、発生した高圧蒸気を蒸気アキュームレータ１３に貯留し、蒸気消費設備１６の運転（稼動）時間帯に該蒸気消費設備１６に供給する。
【００２５】
上記のようにメタン発酵槽１０内でのメタン発酵は一日中連続的である一方、蒸気消費設備１６の運転時間帯は一日内の所定の時間帯である。このようにメタン発酵の時間帯と蒸気消費設備１６の運転時間帯の間に時間差がある場合、図２に示すように、メタン発酵槽１０内で連続的に発生する消化ガスを脱硫塔１５で脱硫し、該脱硫した消化ガス１を大容量の低圧ガスホルダ１７に貯留しておき、蒸気消費設備１６の運転時間帯に該低圧ガスホルダ１７内に貯留している消化ガス１をボイラ１２に送り燃焼させて蒸気を発生させ、蒸気消費設備１６に供給する方法もある。下記に、図１に示す本発明に係る有機性廃棄物エネルギーの利用装置のガスホルダ１１及び蒸気アキュームレータ１３の大きさと、図２に示す有機性廃棄物エネルギーの利用装置の低圧ガスホルダ１７の大きさの比較例を説明する。
【００２６】
ここでは食品加工工場で発生する加工残渣や戻り製品等の有機性廃棄物が１日当たり最大３．５ｔ発生し、メタン発酵槽１０内でメタン発酵により１日当たり最大３００ｍ3（ＮＴＰ）／日の消化ガス１が発生する。消化ガス１中のメタン濃度は６０〜６５％であるので、メタンの発生量としては最大１９５ｍ3（ＮＴＰ）／日となる。
【００２７】
本食品加工工場では、惣菜調理や器具滅菌用として蒸気を使用しており、ボイラ燃料として重油を約２５０ｋｇ／日使用している。蒸気を使用する蒸気消費設備の運転時間帯（蒸気消費設備の稼動時間帯）が８：３０〜１７：３０の９時間のみであるとすると、この時間帯内にメタン発酵槽１０内で発生する消化ガス１の量は１１３ｍ3（ＮＴＰ）のみとなり、上記１日当たり最大３００ｍ3（ＮＴＰ）／日の３８％弱にすぎない。これは重油換算で８７ｋｇであり、使用量を賄うことができない。そのため、夜間の１５時間にメタン発酵槽１０内で発生する１８７ｍ3（ＮＴＰ）／日の消化ガス１をボイラ１２で蒸気に変換しその蒸気を蒸気アキュームレータ１３に貯留することとした。
【００２８】
図２の場合は、低圧ガスホルダ１７の容量は気温２５℃として、１８７ｍ3（ＮＴＰ）×（２７３＋２５）／２７３≒２０５ｍ3が必要になる。これに対して図１に示す本発明に係る有機性廃棄物エネルギーの利用装置で、メタン発酵槽１０内で発生する消化ガス１を順次ボイラ１２で燃焼させ、１．５ＭＰａ以上、好ましくは２．０ＭＰａ以上の高圧蒸気に変換する。夜間に発生する消化ガス１の量１８７ｍ3（ＮＴＰ）を高圧蒸気に変換すると、１６４０ｋｇの蒸気となる。ボイラ１２から蒸気アキュームレータ１３への蒸気供給圧力１９．６ＭＰａ、蒸気アキュームレータ１３から蒸気消費設備１６への蒸気供給圧力０．７４ＭＰａとすると、図１の蒸気アキュームレータ１３の所要容量としては保水量として１０ｍ3となり、容量としては図２の低圧ガスホルダ１７の１／９、即ち２２ｍ3となり、敷地面積として１／６、即ち１２．６ｍ2となる。
【００２９】
図３は図２の低圧ガスホルダ１７と図１のガスホルダ１１及び蒸気アキュームレータ１３の寸法の比較例を示す図で、図示するように、図２の低圧ガスホルダ１７の場合は直径１０ｍ、高さ９．５ｍの球形タンクとなるのに対して、図１のガスホルダ１１及び蒸気アキュームレータ１３の場合は設置面積が５ｍ×２．５ｍ、高さ５．２ｍ内の空間内に収まる。なお、図３の（ａ）は低圧ガスホルダ１７、ガスホルダ１１及び蒸気アキュームレータ１３の平面構成を示す図、図３の（ｂ）は側面構成を示す図である。
【００３０】
図４は上記有機性廃棄物エネルギーの利用装置を備えた有機性廃棄物処理装置の構成例を示す図である。ここでは、有機性廃棄物として蒸留酒製造工程において発生する蒸留粕を処理する処理装置について説明する。なお、蒸留酒製造工程を実施する工場内やその近隣には、例えば８：３０〜１７：３０の時間帯に蒸留や器具滅菌用等として蒸気を使用する設備があるものとする。図４において、２１は受入槽である。受入槽２１に投入された有機性廃棄物である蒸留粕２３はここで攪拌空気供給ノズル２６から攪拌空気が供給されて攪拌されると共に、熱交換器２５で、図示しない冷却塔等を具備する冷却水製造設備からの冷却水２７との間で熱交換が行われ、メタン発酵処理に適する所定の温度に冷却される。
【００３１】
受入槽２１で所定の温度に冷却された蒸留粕２３は投入ポンプ２８により、メタン発酵槽３０に供給される。メタン発酵槽３０内で蒸留粕２３はメタン発酵槽攪拌機３１で攪拌されながらメタン発酵し、発生した消化ガス（メタン（ＣＨ4）が約６０％含まれる）１はガス配管３２を通って、脱硫塔３３に送られ、脱硫される。脱硫された消化ガス１はガス配管３５を通ってガスホルダ３４に送られ、一時的に貯留される。ガスホルダ３４に貯留された消化ガス１はガス配管３６を通ってボイラ３８に供給され燃焼する。ボイラ３８で発生した蒸気は１．５ＭＰａ以上、好ましくは２．０ＭＰａ以上となると、蒸気配管３９を通って、蒸気アキュームレータ４０に送られ、貯留される。なお、ガス配管３６にはフレアスタック３７が取付けられており、過剰な消化ガス１は焼却処理される。
【００３２】
図示しない蒸気消費設備の稼動時間帯になると蒸気アキュームレータ４０から所定流量の蒸気が蒸気配管４１、蒸気ヘッダ４２を通して、蒸気消費設備に送られ、蒸留や器具の滅菌等に使用される。このメタン発酵槽３０、脱硫塔３３、ガスホルダ３４、ボイラ３８、及び蒸気アキュームレータ４０で構成される部分が本発明に係る有機性廃棄物エネルギーの利用装置である。
【００３３】
メタン発酵槽３０でメタン発酵した蒸留粕２３の残渣は発酵残渣引抜ポンプ４３により、メタン発酵槽３０から引き抜かれ発酵残渣配管４４を通って凝集混和槽４５に送られる。凝集混和槽４５には無機凝集剤貯留槽４６から無機凝集剤注入ポンプ４７により、無機凝集剤が注入され、更にポリマー溶解装置４８からポリマー注入ポンプ４９によりポリマーが注入される。無機凝集剤とポリマーが注入され混合された発酵残渣は発酵残渣脱水機５０に送られ、含水率８５％の固形物Ｍとなって装置外に搬出される。また、発酵残渣脱水機５０には洗浄水７９が供給されるようになっている。凝集混和槽４５及び発酵残渣脱水機５０からの脱水分離液は脱水配管５１を通って、廃水処理槽６０の廃水槽６１に流入する。
【００３４】
廃水処理槽６０は、廃水槽６１と脱窒槽６２と硝化槽６３からなる。また、硝化槽６３には硝化液循環ポンプ６４、余剰汚泥ポンプ６５、膜分離ユニット６６が配置されている。硝化槽６３内の液は膜分離ユニット６６を通って処理水となり、該処理水は処理水ポンプ７０により、処理水槽７１に送られ、貯留される。処理水槽７１の処理水は給水ユニット７２を通して、前記発酵残渣脱水機５０の洗浄水７９として使用されたり、工場内の水利用場所に送られる。処理水槽７１内の水位が所定レベルを超えた場合は、余剰処理水として放水される。
【００３５】
また、硝化槽６３内には、攪拌空気供給ノズル７３、熱交換器７４、曝気ノズル７５、曝気ノズル７６が配置され、攪拌空気供給ノズル７３、曝気ノズル７５、曝気ノズル７６には曝気ブロワ７７から空気が供給されるようになっている。また、熱交換器７４では硝化槽６３内液と冷却水２７との間で熱交換が行われ、硝化槽６３内液の液温を所定の温度に維持するようになっている。また、硝化槽６３内の液は余剰汚泥ポンプ６５でメタン発酵槽３０に送られるようになっている。また、硝化槽６３内の液は硝化液循環ポンプ６４により脱窒槽６２に送られ、脱窒槽６２をオーバーフローした液は脱窒槽６２に流入するようになっている。
【００３６】
受入槽２１内から排出される排気Ａ、凝集混和槽４５から排出される排気Ａ、発酵残渣脱水機５０から排出される排気Ａ等臭気を有する排気は、誘引ブロワ８１で吸引され脱臭塔８０を通して脱臭され空気が大気中に放出される。
【００３７】
上記のように本有機性廃棄物処理装置は、有機性廃棄物である蒸留粕２３の有するエネルギーを効率良く高圧蒸気の熱エネルギーに変換し、蒸気アキュームレータ１３に貯留し、蒸気消費設備の稼動時間帯に各蒸気消費設備に供給する。また、蒸留粕２３をメタン発酵処理した生物化学的に安定した発酵残渣を固形物Ｍとし装置外に排出し、肥料等に使用する。更に発生した廃水は処理して工場内で使用し、余剰の処理水は放流し、更に発生する臭気を含む排気は脱臭して大気に放出する。従って、蒸留粕２３の有するエネルギーを効率良く利用できると共に、処理により環境に悪影響を与えることが全くない。
【００３８】
なお、上記有機性廃棄物処理装置では、有機性廃棄物として蒸留粕２３をメタン発酵させて処理する例を示したが、有機性廃棄物としてはこれに限定されるものではなく、食品廃棄物、汚泥、し尿、家畜糞尿、高濃度有機性廃水等のメタン発酵できる有機性廃棄物であれば、処理することが可能である。
【００３９】
以上、本発明の実施形態を説明したが、本発明は上記実施形態に限定されるものではなく、特許請求の範囲、及び明細書と図面に記載された技術的思想の範囲内において種々の変形が可能である。例えば、上記例では、蒸気消費設備の稼動時間帯が、メタン発酵による硝化ガスの時間帯の一部の時間帯（８：３０〜１７：３０）となっているが、メタン発酵時間帯と蒸気消費設備の稼動時間帯が異なる時間帯（例えばメタン発酵が夜間で蒸気消費設備の稼動時間帯が昼）であってもよい。
【図面の簡単な説明】
【００４０】
【図１】本発明に係る有機性廃棄物エネルギーの利用装置の概略構成例を示す図である。
【図２】低圧ガスホルダを備えた有機性廃棄物エネルギーの利用装置の概略構成例を示す図である。
【図３】図１に示す装置のガスホルダ及び蒸気アキュームレータと図２に示す装置の低圧ガスホルダの大きさの比較例を示す図である。
【図４】本発明に係る有機性廃棄物処理装置の構成例を示す図である。
【符号の説明】
【００４１】
１    消化ガス
２    高圧の蒸気
１０    メタン発酵槽
１１    ガスホルダ
１２    ボイラ
１３    蒸気アキュームレータ
１４    フレアスタック
１５    脱硫塔
１６    蒸気消費設備
１７    低圧ガスホルダ
２１    受入槽
２３    蒸留粕
２５    熱交換器
２６    攪拌空気供給ノズル
２７    冷却水
２８    投入ポンプ
３０    メタン発酵槽
３１    メタン発酵槽攪拌機
３２    ガス配管
３３    脱硫塔
３４    ガスホルダ
３５    ガス配管
３６    ガス配管
３７    フレアスタック
３８    ボイラ
３９    蒸気配管
４０    蒸気アキュームレータ
４１    蒸気配管
４２    蒸気ヘッダ
４３    発酵残渣引抜ポンプ
４４    発酵残渣配管
４５    凝集混和槽
４６    無機凝集剤貯留槽
４７    無機凝集剤注入ポンプ
４８    ポリマー溶解装置
４９    ポリマー注入ポンプ
５０    発酵残渣脱水機
５１    脱水分離液配管
６０    廃水処理槽
６１    廃水槽
６２    脱窒槽
６３    硝化槽
６４    硝化液循環ポンプ
６５    余剰汚泥ポンプ
６６    膜分離ユニット
７０    処理水ポンプ
７１    処理水槽
７２    給水ユニット
７３    攪拌空気供給ノズル
７４    熱交換器
７５    曝気ノズル
７６    曝気ノズル
７７    曝気ブロワ
７９    洗浄水
【図１】
0005491684.tif 000002
【図２】
0005491684.tif 000003
【図３】
0005491684.tif 000004
【図４】
0005491684.tif 000005